(57)【要約】【課題】本発明の目的は、簡易な手段にて記録紙補給時の振動等によるピックアップ手段等の倒置を防ぎ、給紙装置のスペースを大きくせず作業性も良くしコストの安い給紙装置及び当該給紙装置を搭載した画像形成装置を提供すること。【解決手段】記録紙が収納される記録紙収納部と揺動回転可能な、記録紙送り出しの為のピックアップ手段及び当該ピックアップ手段の揺動回転に連動するガイド手段と送り出される記録紙を１枚に分離し少なくとも捌きローラを有する分離手段を備えた給紙部とを有し被給紙装置に対して引き出し可能な給紙装置において、前記ピックアップ手段が略起立状態の前記ガイド手段と共に略垂直に起立状態にあるときに当該ピックアップ手段を支持する支持レバーと前記分離手段の捌きローラの支持軸とが圧接されて起立状態を維持可能に構成される給紙装置。【選択図】　　　　図５
2004059171.tif 000002
【特許請求の範囲】
【請求項１】
記録紙が収納される記録紙収納部と、揺動回転の可能な、記録紙送り出しの為のピックアップ手段及び当該ピックアップ手段の揺動回転に連動するガイド手段と、送り出される記録紙を１枚に分離し、少なくとも捌きローラを有する分離手段を備えた給紙部とを有し、被給紙装置に対して引き出し可能な給紙装置において、
前記ピックアップ手段が略起立状態の前記ガイド手段と共に略垂直に起立状態にあるときに、当該ピックアップ手段を支持する支持レバーと前記分離手段の捌きローラの支持軸とが圧接されて、起立状態を維持可能に構成されることを特徴とする給紙装置。
【請求項２】
前記ピックアップ手段は、ピックアップローラを有し、前記支持レバーは当該ピックアップローラの揺動回転を可能に支持するコの字型形状を有して、前記ピックアップローラの支持軸を保持し、当該コの字型形状は２つの側板にて形成され、当該２つの側板のうちの一方の端部が、前記捌きローラの支持軸と圧接されることを特徴とする請求項１に記載の給紙装置。
【請求項３】
前記分離手段は、前記支持レバーの支持軸と同軸芯上に設けられる搬送ローラと、当該搬送ローラに圧着される、捌きローラとその支持軸と、当該支持軸を支持するフレームと、当該フレームを支持すると共にギアを介して前記捌きローラを駆動する駆動軸を兼ねる第２支持軸と、前記捌きローラを前記搬送ローラに圧着させる為に前記フレームに突起片が形成され、当該突起片に配設される弾性部材のコイルバネとから構成されることを特徴とする請求項１又は請求項２に記載の給紙装置。
【請求項４】
前記搬送ローラと捌きローラとを圧着させるロール線圧は、略０．９〜１．７（Ｎ／ｃｍ）であることを特徴とする請求項２又は請求項３に記載の給紙装置。
【請求項５】
前記ガイド手段は、Ｌ形状を有するガイド板を前記ピックアップ手段の両サイドに備えることを特徴とする請求項１乃至請求項４の何れか１項に記載の給紙装置。
【請求項６】
請求項１乃至請求項５の何れか１項に記載の給紙装置を搭載したことを特徴とする画像形成装置。
【発明の詳細な説明】
【０００１】
【発明の属する技術分野】
本発明は、複写機、プリンタやファクシミリ等の画像形成装置に関し、特に、記録紙を給紙する給紙装置の改良に係わる。
【０００２】
【従来の技術】
電子写真方式のような高速な画像形成装置に搭載されている給紙装置は、例えば、被給紙装置である画像形成装置の画像形成部等が収納される下側に、記録紙が収納される記録紙収納部と、揺動回転可能な、記録紙送り出しの為のピックアップ手段及び当該ピックアップ手段の揺動回転に連動するガイド手段と、記録紙を１枚に分離する分離手段等を備えた給紙部とを有し、画像形成装置本体から引き出し可能に構成される。
【０００３】
前記記録紙の補給は、給紙装置（以下、給紙トレイとも言う）を引き出してピックアップ手段等を起立させてから行える構成となっていることは知られている。
【０００４】
【発明が解決しようとする課題】
前記給紙トレイは、多数枚の記録紙を収納できる記録紙収納部と、揺動回転の可能な、記録紙送り出しの為のピックアップローラと当該ピックアップローラを支持する支持レバーとからなるピックアップ手段と当該支持レバーの支持軸と同軸芯線上で揺動回転が可能で、前記ピックアップローラにより送り出される前記記録紙のガイドができる、前記ピックアップローラの揺動回転に連動するガイド板を有するガイド手段と前記記録紙を１枚ずつに分離するための搬送ローラと捌きローラとの一対のローラを有する分離手段と当該分離手段により分離される記録紙を一旦突き当てられた後、搬送を再開させる２対のプレレジストローラを有するレジスト手段と前記ピックアップ手段とガイド手段に対して揺動回転動作をさせる為の扇形状をなす板状のカムと当該カムに形成されているボスと当該ボスと当接させるストライカとを有するカム手段等を備えた給紙部と、から構成されている。
【０００５】
記録紙補給時、前記給紙トレイを画像形成装置本体から引き出した位置で、前記ピックアップ手段とガイド手段（以下、ピックアップ手段等と言う）とを共に揺動回転させて起立状態にし、記録紙収納部へ記録紙の補給を行い、記録紙の補給作業完了後、画像形成装置本体内の所定位置に当該給紙トレイの挿入が行えるように構成されている。
【０００６】
斯様な給紙トレイにおいて、記録紙補給時、この補給の際に生ずる振動や衝撃等でピックアップ手段等が倒れてしまい補給作業に支障を来すことがある。
【０００７】
このような支障が生じないようにする為に、記録紙収納部側に倒置されているピックアップ手段等を、例えば、１１０〜１２０度の範囲の角度分、戻して起立状態で待機させると、この待機のためのスペースが大きく必要となってしまう。
【０００８】
又、前記待機位置の状態で、記録紙の補給作業完了後、給紙トレイの挿入動作により、画像形成装置本体側に設けられているストライカと給紙装置側のカムに形成されているボスとの当接を介してピックアップ手段等を倒置してから給紙トレイを挿入できる構成にすると、前記カムの動作範囲も大きくする必要が生じ、従って、カム手段全体のスペースも大きくなってしまう。
【０００９】
この様に、記録紙補給時の振動等の影響を無くすために、前記ピックアップ手段等の待機位置までの戻し角度を大きくとるようにすると、画像形成装置本体内の給紙トレイの配設スペースが大きくなってしまうという問題が生ずる。
【００１０】
この結果、ピックアップ手段等の倒置時間が掛かり過ぎて、作業性を悪くしたり、関連する構成部品のコストがアップしてしまうという不都合が生ずる。
【００１１】
本発明の目的は、従来の給紙トレイにおける前記問題を解決し、待機スペースを少なくして、作業性を良くし、しかも、コストの安い給紙トレイ及び当該給紙トレイを搭載した画像形成装置を提供することにある。
【００１２】
【課題を解決するための手段】
上記目的は、以下の手段により達成される。
【００１３】
（１）記録紙が収納される記録紙収納部と、揺動回転の可能な、記録紙送り出しの為のピックアップ手段及び当該ピックアップ手段の揺動回転に連動するガイド手段と、送り出される記録紙を１枚に分離し、少なくとも捌きローラを有する分離手段を備えた給紙部とを有し、被給紙装置に対して引き出し可能な給紙装置において、前記ピックアップ手段が略起立状態の前記ガイド手段と共に略垂直に起立状態にあるときに、当該ピックアップ手段を支持する支持レバーと前記分離手段の捌きローラの支持軸とが圧接されて、起立状態を維持可能に構成されることを特徴とする給紙装置。
【００１４】
（２）前記ピックアップ手段は、ピックアップローラを有し、前記支持レバーは当該ピックアップローラの揺動回転を可能に支持するコの字型形状を有して、前記ピックアップローラの支持軸を保持し、当該コの字型形状は２つの側板にて形成され、当該２つの側板のうちの一方の端部が、前記捌きローラの支持軸と圧接されることを特徴とする（１）に記載の給紙装置。
【００１５】
（３）前記分離手段は、前記支持レバーの支持軸と同軸芯上に設けられる搬送ローラと、当該搬送ローラに圧着される、捌きローラとその支持軸と、当該支持軸を支持するフレームと、当該フレームを支持すると共にギアを介して前記捌きローラを駆動する駆動軸を兼ねる第２支持軸と、前記捌きローラを前記搬送ローラに圧着させる為に前記フレームに突起片が形成され、当該突起片に配設される弾性部材のコイルバネとから構成されることを特徴とする（１）又は（２）に記載の給紙装置。
【００１６】
（４）前記搬送ローラと捌きローラとを圧着させるロール線圧は、略０．９〜１．７（Ｎ／ｃｍ）であることを特徴とする（２）又は（３）に記載の給紙装置。
【００１７】
（５）前記ガイド手段は、Ｌ形状を有するガイド板を前記ピックアップ手段の両サイドに備えることを特徴とする（１）乃至（４）の何れか１項に記載の給紙装置。
【００１８】
（６）（１）乃至（５）の何れか１項に記載の給紙装置を搭載したことを特徴とする画像形成装置。
【００１９】
【発明の実施の形態】
以下、本発明の実施の形態の一例を図面に基づいて説明する。
【００２０】
図１は、画像形成装置の全体構成を説明するための模式図である。
図２は、給紙部及び搬送部を説明するための模式図である。
【００２１】
本実施形態の画像形成装置は、画像形成装置本体の上部に自動原稿送り装置１、画像形成装置本体内に、画像読取部２、画像形成部３、給紙トレイ部４、搬送部５及び排紙・再給紙部６とを有している。
【００２２】
自動原稿送り装置１は、画像形成装置本体の上部に設けられ、原稿を一枚ずつ送り出し、原稿の画像読取位置へと搬送し、画像読取が終わった原稿を排紙する装置である。自動原稿送り装置１は、原稿を載置する原稿載置台１１、原稿載置台１１上に載置された原稿を１枚ずつ分離する原稿分離手段１２、原稿分離手段１２で分離された原稿を搬送する原稿搬送手段１３、原稿搬送手段１３で搬送された原稿を排紙する原稿排紙手段１４、原稿排紙手段１４によって排紙された原稿を受け止め、載置する原稿排紙台１５及び原稿の両面を読み取る際に原稿の表裏を反転させるための原稿反転手段１６とを有している。
【００２３】
原稿載置台１１上に載置された複数枚の原稿は、原稿分離手段１２によって分離され、１枚ずつ搬送される。原稿分離手段１２によって分離・搬送された原稿は、原稿搬送手段１３によって搬送され、下方に設けられた画像読取部２によって、スリット２１を通して、原稿の画像が読み取られる。
【００２４】
画像が読み取られた原稿は、原稿排紙手段１４によって、原稿排紙台１５上へと排紙される。原稿の両面の画像を読み取る際には、表面の画像が読み取られた原稿は、原稿反転手段１６によって原稿の表裏が反転されて、再度、原稿搬送手段１３によって搬送され、画像読取手段によりスリット２１を通して原稿の裏面の画像が読み取られる。
【００２５】
そして、裏面の画像が読み取られた原稿は、原稿排紙手段１４により原稿排紙台１５上へと排紙される。このような工程が原稿載置台１１上に載置された原稿の枚数分繰り返され、原稿の画像が読み取られる。
【００２６】
また、自動原稿送り装置１は、一体に可倒式に構成されており、自動原稿送り装置１を起こしてプラテンガラス２２部分を開放することにより、プラテンガラス２２上に原稿を直接載置することが出来るように構成されている。
【００２７】
なお、実施の形態では、原稿搬送手段１３によって原稿を搬送しながら、原稿の画像を読み取る場合と、原稿をプラテンガラス２２上に置き、静止させた状態で画像を読み取る場合とがある。
【００２８】
画像読取部２は、原稿の画像を読み取り画像データを生成する手段であり、画像形成装置本体内の上部に設けられている。この画像読取部２は、自動原稿送り装置１の原稿搬送手段１３によって搬送されている原稿の画像を読み取るためのスリット状の開口部であるスリット２１、原稿を直接載置するための原稿台であるプラテンガラス２２、原稿に光照射する光源であるランプ２３１と原稿からの反射光を反射させる第１ミラー２３２とを一体化している第１ミラーユニット２３、第１ミラー２３２からの光を反射させる第２ミラー２４１と第３ミラー２４２とを一体化したＶミラーユニット２４、スリット２１上或いはプラテンガラス２２上の原稿からの反射光をＣＣＤ２６に結像させる結像手段である結像レンズ２５によって結像された光像を光電変換して画像情報を得る画像読取手段であるラインＣＣＤ２６とを有している。
【００２９】
自動原稿送り装置１によって送られている原稿を画像読取部２で読み取る際は、第１ミラーユニット２３及びＶミラーユニット２４は、図１に示すように、第１ミラーユニット２３がスリット２１の下方に位置している。そして、原稿搬送手段１３によってスリット２１を通過する原稿をランプ２３１で光照射し、原稿から反射した光は、第１ミラー２３２、第２ミラー２４１、第３ミラー２４２、結像レンズ２５を介してＣＣＤ２６に入射する。
【００３０】
ＣＣＤ２６は入射した光を光電変換して原稿の画像を読み取る。ＣＣＤ２６の出力から画像データが作成され、作成された画像データに基づいて後記するレーザ書込系３３による書込が行われる。
【００３１】
また、プラテンガラス２２上に載置された原稿の読み取りの場合には、第１ミラーユニット２３とＶミラーユニット２４とを、プラテンガラス２２に沿って図１において右方向に移動させながら、原稿の画像が読み取られる。
【００３２】
画像形成部３は、画像読取部２が生成した画像データに基づいて所定の予め設定されたプロセススピードで搬送されている記録紙Ｐ上に画像を形成する。本実施の形態の画像形成部３は、電子写真プロセスを用いて画像を形成するものである。画像形成部３は、光導電性感光層を有しトナー像を担持する感光体ドラム３１、感光体ドラム３１を一様帯電する帯電器３２、画像データに基づいて感光体ドラム３１上に露光して潜像を形成する露光手段であるレーザ書込系３３、感光体ドラム３１上の潜像を現像してトナー像を形成する現像器３４、感光体ドラム３１上に担持されたトナー像を記録紙Ｐに転写する転写器３５、トナー像が転写された記録紙Ｐを感光体ドラム３１上から分離する分離器３６、転写された後に感光体ドラム３１上に残留したトナーを除去するクリーニング手段３７、記録紙Ｐ上のトナー像を定着する定着手段３８とを有していて、感光体ドラム３１の周囲に、前記手段などが、それぞれ配置されている。
【００３３】
感光体ドラム３１は、図示しない駆動手段によって、矢示の方向に回転し、帯電器３２による一様帯電、レーザ書込系３３によるレジストローラ５６の記録紙Ｐの搬送に同期した露光、現像器３４による現像が行われて画像データに基づいたトナー像が形成される。
【００３４】
形成されたトナー像は、転写器３５により記録紙Ｐ上に転写される。トナー画像が転写された記録紙Ｐは、分離器３６により感光体ドラム３１上から分離され定着手段３８へと搬送され、定着処理される。一方、トナー像が記録紙Ｐへ転写された感光体ドラム３１はクリーニング手段３７によりクリーニングされる。
【００３５】
なお、感光体ドラム３１とレジストローラ５６との間の感光体ドラム３１の近傍に、レジストローラ５６から送りだされた記録紙Ｐを搬送するドラム前搬送ローラ３９が設けられており、記録紙Ｐの搬送力アップに寄与させている。また、分離器３６と定着手段３８との間には、分離器３６によって分離された記録紙Ｐを搬送するために、記録紙Ｐの下側（画像形成された側とは反対側）を支持し、搬送する搬送ローラ（符号なし）及びベルト（符号なし）を設けている。
【００３６】
記録紙Ｐを収納し給紙する給紙トレイ部４は、記録紙収納部ＴＲ及び給紙部Ｑを備えた給紙トレイ４Ａ、４Ｂ、４Ｃを有する。このように記録紙収納部ＴＲと給紙部Ｑは画像形成部３の下方に多段配置される。記録紙収納部としての給紙トレイ４Ａ、４Ｂは、所定のサイズの記録紙Ｐを収納するものであり、給紙トレイ４Ｃは、小サイズから大サイズまでの各種サイズの記録紙Ｐを収納することができるユニバーサルトレイ型の記録紙収納部である。
【００３７】
搬送部５は、給紙トレイ部４から給紙された記録紙Ｐを画像形成部３へと搬送する搬送部であり、各給紙トレイ４Ａ、４Ｂ、４Ｃそれぞれに収納された記録紙Ｐを画像形成部３へと搬送できるように構成してある。
【００３８】
排紙・再給紙部６は、画像形成部３で画像形成された記録紙Ｐを排紙或いは再給紙する。排紙・再給紙部６は、トナー像が定着された記録紙Ｐを定着手段３８から排出する定着排出ローラ６１、定着排出ローラ６１により排出された記録紙Ｐをそのまま機外へ排出する場合と表裏反転させた後、排出する或いは裏面に画像形成するために再給紙する場合とで搬送路を切り替える切替手段６２、記録紙Ｐを機外に排出するための排紙ローラ６３、画像形成装置の側面に設けられた排紙ローラ６３により排出された記録紙Ｐを積載する排紙トレイ６４、再給紙される記録紙Ｐの表裏を反転させる反転手段６５及び反転手段６５で反転された記録紙Ｐを画像形成部３へと再給紙する再給紙部６６とを有する。
【００３９】
画像形成された記録紙Ｐをそのまま、即ち、画像形成された面を上側にして排出する場合は、切替手段６２を図１にて一点鎖線で示す位置に位置させ、定着排出ローラ６１、排紙ローラ６３によって、機外の排紙トレイ６４へと排出する。
【００４０】
また、表裏を反転させた記録紙Ｐの排紙、すなわち、画像形成された面を下側にして排出する場合は、切替手段６２を図１にて実線で示す位置に切り替え、定着排出ローラ６１により搬送される記録紙Ｐを、一旦、反転手段６５の方向へ搬送し、記録紙Ｐが切替手段６２を通過した後、搬送方向を逆転させて、排紙ローラ６３によって機外の排紙トレイ６４へと排出する。
【００４１】
一方、記録紙Ｐの裏面に画像形成する場合は、切替手段６２を図１にて実線で示す位置に位置させ、定着排出ローラ６１により搬送される記録紙Ｐを反転手段６５の方向に搬送し、反転手段６５によってスイッチバックを行わせることにより表裏反転をなし、再給紙部６６へと搬送する。
【００４２】
再給紙部６６に搬送された記録紙Ｐは、ループ形成ローラ５５と中間搬送ローラ５４１のところで搬送路に合流し、給紙トレイ部４からの給紙と同様に、画像形成部３へと搬送される。
【００４３】
搬送部５は、給紙トレイ部４の給紙部Ｑにより形成される個別搬送路ａに続く、縦搬送路ｂを有する。搬送路ａは、給紙トレイ４Ａ、４Ｂ、４Ｃからプレレジストローラ５３Ａ、５３Ｂ、５３Ｃに至るまでの搬送路であり、各給紙トレイ４Ａ、４Ｂ、４Ｃのそれぞれに対して設けられている。搬送路ｂは、中間搬送ローラ５４３からループ形成ローラ５５に至るまでの搬送路であり、給紙トレイ４Ａおよび給紙トレイ４Ｂと、給紙トレイ４Ｃから搬送された記録紙Ｐが共通に通過する搬送路である。
【００４４】
なお、給紙トレイ４Ａからは、中間搬送ローラ５４２、５４３を通ることなく、プレレジストローラ５３Ａから中間搬送ローラ５４１を経てループ形成ローラ５５に記録紙Ｐが搬送される。
【００４５】
参照符号で示す５１は後記するピックアップ手段であり、５２は後記する分離手段であり、５３は後記するレジスト手段をそれぞれ示している。当該各手段の構成部品であるガイド５７１、５７２その他は、同一のものが設けられており、機能も共通であるので共通の符号を付している。
【００４６】
次に本発明に係わる給紙トレイの給紙部の構成について給紙トレイ４Ａを使い説明をする。
【００４７】
図３は、給紙トレイの給紙部を説明するための平面図である。
当該平面図は、給紙トレイ４Ａが画像形成装置本体から引き出された位置にあり、ピックアップ手段５１、ガイド手段である７０、７５はともに倒置されたまま、図示しない記録紙Ｐ上に置かれた状態を示している。
【００４８】
前記給紙トレイ４Ａは、矢印Ｙ１、Ｙ２で示す方向へ出し入れが可能であり、Ｙ１方向へ挿入すると画像形成装置本体内における記録紙Ｐの給紙可能な所定位置にセットでき、Ｙ２方向いっぱいに引き出された位置では、ピックアップ手段５１およびガイド手段７０、７５を起立状態にしてから記録紙Ｐの補給ができる。
【００４９】
そして、記録紙Ｐが矢印で示す方向へ搬送され搬送部５へ進み得る。
前記給紙部Ｑは、ピックアップ手段５１と、ガイド手段７０、７５と、カム手段８０と、分離手段５２及びレジスト手段５３と、から構成されている。
【００５０】
前記ピックアップ手段５１は、揺動回転の可能な記録紙Ｐ送り出しの為のピックアップローラ５１１とその軸５１２と、当該ピックアップローラ５１１の後記する図示しない支持軸を保持するコの字型形状（図の左側面から見て）を有する支持レバー５１３と、当該ピックアップローラ５１１に回転を付与するタイミングプーリに掛け回されたタイミングベルト５１４と、前記支持レバー５１３を揺動回転を可能に支持する支持軸５１５とからなる。当該支持軸５１５はタイミングベルトへ動力を伝える駆動軸をも兼ねている。詳細は後記する。
【００５１】
前記ガイド手段７０、７５は、前記支持軸５１５と同軸芯線上で共に揺動回転が可能で、前記ピックアップローラ５１１との接触回転により送り出される記録紙Ｐのガイドができる、前記軸５１２に連動する２つのガイド板からなる。
【００５２】
参照符号７０で示すのは、ガイド手段１で、Ｌ形状（アングル形状でもある）を有し、挿入方向側端部近傍のＬ形状の一方の面と同一平面上に台形状の突起部７０２が形成され、もう一方の面（紙面に垂直に表示）には、揺動回転を可能にする支持軸７０５の貫通孔が形成される２つの支持部７０７が、引き出し方向Ｙ２（挿入方向Ｙ１でもある）と直交方向に形成され、且つ、引き出し方向Ｙ２側に形成される垂直片７０９とを有するガイド板７０１からなる。
【００５３】
前記垂直片７０９には、前記軸５１２と連動させる為の円弧状の図示されていない長孔７１０も形成されている。
【００５４】
参照符号７５で示すのは、ガイド手段２で、Ｌ形状を有し、一方の面の挿入方向側端部に形成される垂直片７５２と、もう一方の面（紙面に垂直に表示）には、前記支持部７０７と同軸芯線上での揺動回転を可能にする２つの支持部７５７が、前記方向Ｙ２と直交方向に形成されるガイド板７５１からなる。
【００５５】
前記垂直片７５２には、前記軸５１２と連動させる為の円弧状の図示されてない長孔７５３も形成されている。また、前記支持部７５７は、コの字形状（図の右側面から見て）のフレーム７６２とガイド５７１に形成されている垂直部５７１Ａとに回転可能に組み付けられる。
【００５６】
実施の形態において、前記ガイド板７０１、７５１は共に樹脂材料である。
前記カム手段８０は、扇形状をなす板状のカム８０１と、当該カム８０１の揺動回転中心部を支持する支持軸８０３と、前記支持部７０７のうち、挿入方向側端部の支持部とカム８０１との接触をさせるための弾性部材としてのコイルバネ８０５と、コイルバネ８０５を掛ける孔８０７と、画像形成装置本体に設けてあるストライカＳＵとから構成される。
【００５７】
前記カム８０１の前記支持部と接触させる側は、実施の形態において、略、厚み２ｍｍで幅１５ｍｍの接触部８１０を有しており、当該接触部８１０と逆側のカム８０１の下面には、画像形成装置本体に配設してあるストライカＳＵと当接させるボス８１１が形成されている。
【００５８】
前記分離手段５２は、前記支持レバー５１３の支持軸５１５と同軸芯上に設けられる搬送ローラ５２１とその両サイドに伸びている当該支持軸５１５を支持するコの字形状（図の右側面から見て）のフレーム７６２、７６３とからなる。
【００５９】
そして、図２に示す捌きローラ５２２を記録紙Ｐを介して前記搬送ローラ５２１との圧着によって、搬送されてくる記録紙Ｐを１枚に分離して次へ搬送できる。この手段の詳細は後記する。
【００６０】
前記レジスト手段５３は、２つのプレレジストローラ５３Ａとその支持軸５３１と当該支持軸５３１を支持するフレーム５３３（もう片方は前記カム８０１下に隠蔽）とからなる。
【００６１】
そして、前記プレレジストローラ５３Ａの下側に設けられる図２に示すプレレジストローラ５３Ａとにより、前記分離手段５２により分離された記録紙Ｐを一旦突き当てられた後に搬送を再開させ、搬送部５へ送り出す機能を有する。
【００６２】
前記各手段への駆動源からの動力の伝達は、カップリングＣＡ、ギアＧ１、Ｇ２等を介して可能である。また、参照符号５７１はガイドであり、９１３はカバーであると共に後記するストッパを兼ねており、９０１は垂直な側板で、当該側板に組み付けられた軸受け９１１を介して支持軸７０５、および、図示しない軸受けを介して支持軸５３１を回転可能に支持している。
【００６３】
図４は、ピックアップ手段等を起立状態の図３のＡ−Ａ矢視図である。
参照符号で既説明のものの説明は省略する。
【００６４】
２つの側板５１３Ｃにて形成されるコの字型形状（矢視Ｃ方向から見て）を有する支持レバー５１３は、ピックアップローラ５１１の回転を可能にする為に、２つの軸受けメタル５１６を当該両側板５１３Ｃの上方側に配設し、当該軸受けメタル５１６にてピックアップローラ５１１の支持軸５１５Ａを保持し、更に、両側板５１３Ｃ間に、駆動回転を受けるタイミングプーリ５１４Ａが設けてある。
【００６５】
前記両側板５１３Ｃの下方側には、前記支持レバー５１３の揺動回転を可能に支持する支持軸５１５の回転を可能にする為に、２つの軸受けメタル５１７を当該両側板５１３Ｃに配設して、当該支持軸５１５を保持し、且つ、両側板５１３Ｃ間に駆動回転を受けるタイミングプーリ５１４Ｂが設けてある。
【００６６】
当該タイミングプーリ５１４Ａ、５１４Ｂには点線表示のタイミングベルト５１４が掛け回されている。
【００６７】
そして、前記両側板５１３Ｃのうちの一方の端部Ｅが後記する捌きローラ５２２を支持する支持軸と圧接している状態を図は示している。
【００６８】
圧接される当該支持軸を含む分離手段５２は、前記支持レバー５１３の支持軸５１５と同軸芯上に設けられる搬送ローラ５２１と、当該搬送ローラ５２１に圧着され得る、正逆回転可能な捌きローラ５２２とそれを支持する支持軸５２４と、当該支持軸５２４を支持するフレーム５２５と、当該フレーム５２５を支持すると共にギアを介して前記捌きローラ５２２を駆動する駆動軸を兼ねる２点鎖線表示の第２支持軸５２７と、前記捌きローラ５２２を前記搬送ローラ５２１に圧着させる為に前記フレーム５２５に突起片５２５Ａが形成され、当該突起片５２５Ａの小孔と他の突起片５２５Ｂに掛ける弾性部材からなるコイルバネ５２５Ｃとから構成されている。
【００６９】
参照符号Ｇ３、Ｇ４にて示すのは、第２支持軸５２７に設けられる図示しないギアを介して駆動源からの動力を前記捌きローラ５２２等の被駆動部に伝達する機能を有するギアである。
【００７０】
前記一方の端部Ｅの長さは、前記支持軸５２４と圧接状態のときに、捌きローラ５２２が搬送ローラ５２１から僅かに離間されるように構成される。
【００７１】
この状態における圧接力は、ロール面長が３ｃｍであり、前記搬送ローラ５２１と捌きローラ５２２間に加えられるロール線圧が、略０．９〜１．７（Ｎ／ｃｍ）であることから逆算して、略２．７〜５．１（Ｎ）と推定できる。
【００７２】
図５は、支持レバーの側板のうちの一方の端部と捌きローラの支持軸との圧接条件を説明する図である。
【００７３】
図５（ａ）は、図４のＢ−Ｂ矢視図で、図５（ｂ）は、一方の端部Ｅの条件を説明する図である。
【００７４】
右下がりハッチング表示の記録紙収納部ＴＲは、収納ケース４０と記録紙Ｐの積載量の変化に応じて可変の昇降板４１とからなり、前記収納ケース４０に形成される垂直壁４０１と水平壁４０２との部位に、給紙部Ｑは、配設されている。
【００７５】
支持レバー５１３等は、ストッパ９１３を背にして略垂直に起立状態にあり、実施の形態において、その傾きＫＣ　は図の時計回りの角度で略８５度に設定してある。
【００７６】
当該支持レバー５１３等は、記録紙収納部ＴＲに載置される図示しない記録紙Ｐ上にピックアップローラ５１１が置かれ、記録紙Ｐの送り出しが可能な状態にあり、この位置から揺動回転動作にて起立状態にし、圧接状態が形成される。
【００７７】
図５（ｂ）に示す起立状態の支持レバー５１３の一方の端部Ｅと捌きローラ５２２の支持軸５２４と圧接する水平接触部ＳＥは、実施の形態において、支持軸５１５Ａと支持軸５１５との軸芯を結ぶ直線と直交方向の稜を有し、その長さが５ｍｍ程度あれば良い。
【００７８】
もう１つの実施形態として、前記支持軸５１５と前記支持軸５２４との軸芯を結ぶ直線に対して直交方向側の稜が、略５度＞０の範囲で右下がりの傾斜を有するようにしても良い。
【００７９】
前記傾斜条件を設けることにより、圧接部に前記圧接力によるモーメントが反時計方向に生じ支持レバー５１３等をストッパ９１３側に押し付けるように作用し、振動等の外力により支持レバー５１３等が倒れるのに抗する力とすることができる。
【００８０】
【発明の効果】
本発明により、簡易な手段にて、記録紙補給時の振動等によるピックアップ手段等の倒置を防ぎ、給紙装置のスペースを大きくせず、作業性も良くし、コストの安い給紙装置及び当該給紙装置を搭載した画像形成装置を提供できた。
【図面の簡単な説明】
【図１】画像形成装置の全体構成を説明するための模式図である。
【図２】給紙部及び搬送部を説明するための模式図である。
【図３】給紙トレイの給紙部を説明するための平面図である。
【図４】ピックアップ手段等を起立状態の図３のＡ−Ａ矢視図である。
【図５】支持レバーの側板のうちの一方の端部と捌きローラの支持軸との圧接条件を説明する図である。
【符号の説明】
Ｐ　記録紙
４Ａ、４Ｂ、４Ｃ　給紙トレイ
Ｑ　給紙部
ＴＲ　記録紙収納部
５１　ピックアップ手段
５１１　ピックアップローラ
５１３　支持レバー
５１５、５１５Ａ、５２４、５３１、７０５　支持軸
８０　カム手段
８０１　カム
ＳＵ　ストライカ
８１１　ボス
５２　分離手段
５１６、５１７　軸受けメタル
５２１　搬送ローラ
５２２　捌きローラ
５２７　第２支持軸
５３　レジスト手段
９１３　カバー兼ストッパ
ＣＡ　カップリング
Ｇ１、Ｇ２、Ｇ３、Ｇ４　ギア
【図１】
2004059171.tif 000003
【図２】
2004059171.tif 000004
【図３】
2004059171.tif 000005
【図４】
2004059171.tif 000006
【図５】
2004059171.tif 000007